(57)【要約】【課題】回転主軸に取り付けられた加工ツールが回転して、ワークに研削、切削等の機械加工を施す形式の工作機械において、過度なトルク負荷による加工ツールの損傷、折損等を防止保護する加工ツール保護装置を提供する。【解決手段】加工ツールであるホーニングツール１が取り付けられた回転主軸２と、回転主軸２を回転させる主軸回転駆動部３のサーボモータ１６との間に、サーボモータ１６の回転力を磁気作用により回転主軸２に伝達するホーニングツール１を備え、磁気式カップリング装置２５の回転力を伝える磁気伝達トルクが、ホーニングツール１にかかる所定のトルク負荷（例えば、ホーニングツール１の折損トルク）よりも小さく設定されている。これにより、過度なトルク負荷によるホーニングツール１の損傷、折損等を有効に防止保護することができる。【選択図】図２
2009095913.tif 000002
【特許請求の範囲】
【請求項１】
回転主軸に取り付けられた加工ツールが回転して、工作物に研削、切削等の機械加工を施す形式の工作機械において、前記加工ツールの損傷、折損等を防止保護する加工ツール保護装置であって、
前記回転主軸とこの回転主軸を回転させる回転駆動源との間に、回転駆動源の回転力を磁気作用により前記回転主軸に伝達する磁気式カップリング手段を備え、
この磁気式カップリング手段の前記回転力を伝える磁気伝達トルクは、前記ホーニングツールにかかる所定のトルク負荷以下に設定されている
ことを特徴とする工作機械の加工ツール保護装置。
【請求項２】
前記所定のトルク負荷は、前記ホーニングツールが折損する折損トルクよりも小さい値に設定されている
ことを特徴とする請求項１に記載の工作機械の加工ツール保護装置。
【請求項３】
前記磁気式カップリング手段は、前記回転主軸と同軸上に配置された環状マグネットカップリングの形態とされ、
この環状マグネットカップリングは、前記回転駆動源に駆動連結された駆動側マグネットリング部材と、前記回転主軸に回転方向へ一体的に駆動連結された従動側マグネットリング部材とを備え、
これら両マグネットリング部材は、その環状マグネット面が無接触状態で平行にかつ同心状に対向配置されて、これら両環状マグネット面間に形成される磁気作用ギャップにより前記磁気伝達トルクが設定される
ことを特徴とする請求項１または２に記載の工作機械の加工ツール保護装置。
【請求項４】
前記駆動側および従動側マグネットリング部材は、前記回転主軸の軸方向へ相対的に移動可能とされて、これにより、前記環状マグネット面間の前記磁気作用ギャップの大きさが変更されて、前記磁気伝達トルクが調整される構成とされている
ことを特徴とする請求項３に記載の工作機械の加工ツール保護装置。
【請求項５】
前記駆動側および従動側マグネットリング部材を前記回転主軸に軸方向へ相対的に移動させて、前記磁気作用ギャップの大きさを調整するギャップ調整手段を備え、
このギャップ調整手段は、前記駆動側および従動側マグネットリング部材のいずれか一方を前記回転主軸の軸方向へ移動させる移動手段と、この移動手段を制御するギャップ制御手段とを備えてなり、
このギャップ制御手段は、前記磁気伝達トルクが前記回転主軸の回転数に対応して調整されるように、前記移動手段を制御する構成とされている
ことを特徴とする請求項４に記載の工作機械の加工ツール保護装置。
【請求項６】
前記ギャップ制御手段は、前記回転主軸が停止状態から起動して所定の回転数に達するまでは、前記磁気伝達トルクが所定の起動用トルク値となるように、また前記回転主軸の回転数が前記所定の回転数に達したら、前記磁気伝達トルクが所定の加工用トルク値になるように、前記移動手段を制御する構成とされている
ことを特徴とする請求項５に記載の工作機械の加工ツール保護装置。
【請求項７】
前記移動手段は、前記駆動側および従動側マグネットリング部材のいずれか一方に連結された送りねじ機構と、この送りねじ機構を回転駆動する回転駆動源とを備えてなり、
前記送りねじ機構のナット部材が前記駆動側および従動側マグネットリング部材のいずれか一方に連結固定されるとともに、このナット部材を螺進退動作させるねじ部材が前記回転主軸の軸線に平行に配されている
ことを特徴とする請求項５または６に記載の工作機械の加工ツール保護装置。
【請求項８】
前記駆動側および従動側マグネットリング部材は、リング部材本体の対向面に、環状の永久磁石が設けられて、前記環状マグネット面が形成されている
ことを特徴とする請求項３から７のいずれか一つに記載の工作機械のホーニングツール保護装置。
【請求項９】
前記駆動側および従動側マグネットリング部材は、リング部材本体の対向面に、円周方向へ等間隔をもって配された永久磁石からなる少なくとも一つの環状磁石列を備えてなり、この環状磁石列により前記環状マグネット面が形成されている
ことを特徴とする請求項３から７のいずれか一つに記載の工作機械の加工ツール保護装置。
【請求項１０】
前記リング部材本体の対向面に、配列径の異なる複数の前記環状磁石列が同心状に配されている
ことを特徴とする請求項９に記載の工作機械の加工ツール保護装置。
【請求項１１】
工作物の内周面の軸線方向へ往復移動可能とされるとともに、軸線まわりに回転可能に軸支されてなる回転主軸と、
回転主軸を軸線回りに回転駆動する主軸回転手段と、
回転主軸を前記内周面の軸線方向へ往復動作させる主軸往復手段と、
回転主軸先端に装着され、前記内周面に沿った砥石面を有するホーニング砥石を拡縮可能に備えるホーニングツールと、
このホーニングツールのホーニング砥石に所定の切込み動作を与える砥石切込み手段と、
前記回転主軸と前記主軸回転手段の駆動伝達経路に設けられて、前記ホーニングツールの損傷、折損等を防止保護するホーニングツール保護手段と、
前記主軸回転手段、主軸往復手段および砥石切込み手段の動作を相互に連動して自動制御する制御手段とを備えてなり、
前記ホーニングツール保護手段は、請求項１から１０のいずれか一つに記載の加工ツール保護装置により構成されている
ことを特徴とするホーニング盤。
【発明の詳細な説明】
【技術分野】
【０００１】
この発明は、工作機械の加工ツール保護装置およびホーニング盤に関し、さらに詳細には、例えばホーニング盤のホーニングツールのように、回転主軸に取り付けられた加工ツールが回転して、工作物に研削、切削等の機械加工を施す形式の工作機械において、加工ツールの損傷、折損等を防止保護する加工ツール保護技術に関する。
【背景技術】
【０００２】
工作物（以下、ワークと称する。）の内周面を鏡面に仕上げる加工法の一つとしてホーニング加工がある。このホーニング加工においては、砥石を備えたホーニングツールとワークを相対的に浮動の状態におくとともに、ホーニングツールに回転動作と往復動作を与えて、ばね弾発力等によるホーニングツールの砥石の拡張によりワーク内周面に精密仕上げを行う。
【０００３】
ところで、従来のホーニング盤においては、装置機械自体を保護する構成は備えているものの、加工ツールであるホーニングツールを保護する構成は備えておらず、ｉ）ワークの不良（例えば、ワークの穴径が規格よりも小さい等、前加工精度が規格外であるなど）、ii）砥石の目詰まりによる噛みこみ、あるいはiii）制御プログラムミス（人為的ミス）などにより、ホーニングツールの砥石がワークに食い付いてしまい、ホーニングツールに過度なトルク負荷が生じることがある。
【０００４】
この場合、ホーニングツールが比較的大径であれば、砥石の食い付きで異常が分かるが、小径だとホーニングツール自体の強度が上記トルク負荷に負けて折損してしまうという状況があった。
【０００５】
しかしながら、ホーニングツールは比較的高価な部品であるばかりでなく、その交換作業は熟練を要するとともに複雑であり、装置の復旧に時間がかかるという問題があり、その改善が要望されていた。
【０００６】
このような問題は、ホーニング盤に限られず、ボール盤や中ぐり盤等の回転主軸に取り付けられた加工ツールが回転して、ワークに研削、切削等の機械加工を施す形式の他の工作機械にも共通するものであった。
【０００７】
なお、本出願人の知る限りにおいて、このような点に着目・改良した先行技術はまだ存在しない。
【特許文献１】なし
【発明の開示】
【発明が解決しようとする課題】
【０００８】
本発明は、かかる従来の問題点に鑑みてなされたものであって、その目的とするところは、回転主軸に取り付けられた加工ツールが回転して、ワークに研削、切削等の機械加工を施す形式の工作機械において、過度なトルク負荷による加工ツールの損傷、折損等を防止保護する加工ツール保護装置を提供することにある。
【０００９】
また本発明の他の目的とするところは、上記加工ツール保護装置を備えたホーニング盤を提供することにある。
【課題を解決するための手段】
【００１０】
上記目的を達成するため、本発明の加工ツール保護装置は、回転主軸に取り付けられた加工ツールが回転して、ワークに研削、切削等の機械加工を施す形式の工作機械において、上記加工ツールの損傷、折損等を防止保護するものであって、上記回転主軸とこの回転主軸を回転させる回転駆動源との間に、回転駆動源の回転力を磁気作用により上記回転主軸に伝達する磁気式カップリング手段を備え、この磁気式カップリング手段の上記回転力を伝える磁気伝達トルクは、上記ホーニングツールにかかる所定のトルク負荷よりも小さく設定されていることを特徴とする。
【００１１】
好適な実施態様として、以下の構成が採用される。
（１）上記所定のトルク負荷は、上記ホーニングツールが折損する折損トルクよりも小さい値に設定される。
【００１２】
（２）上記磁気式カップリング手段は、上記回転主軸と同軸上に配置された環状マグネットカップリングの形態とされ、この環状マグネットカップリングは、上記回転駆動源に駆動連結された駆動側マグネットリング部材と、上記回転主軸に回転方向へ一体的に駆動連結された従動側マグネットリング部材とを備え、これら両マグネットリング部材は、その環状マグネット面が無接触状態で平行にかつ同心状に対向配置されて、これら両環状マグネット面間に形成される磁気作用ギャップにより上記磁気伝達トルクが設定される。
【００１３】
（３）上記駆動側および従動側マグネットリング部材は、上記回転主軸の軸方向へ相対的に移動可能とされて、これにより、上記環状マグネット面間の上記磁気作用ギャップの大きさが変更されて、上記磁気伝達トルクが調整される構成とされる。
【００１４】
（４）上記駆動側および従動側マグネットリング部材を上記回転主軸に軸方向へ相対的に移動させて、上記磁気作用ギャップの大きさを調整するギャップ調整手段を備え、このギャップ調整手段は、上記駆動側および従動側マグネットリング部材のいずれか一方を上記回転主軸の軸方向へ移動させる移動手段と、この移動手段を制御するギャップ制御手段とを備えてなり、このギャップ制御手段は、上記磁気伝達トルクが上記回転主軸の回転数に対応して調整されるように、上記移動手段を制御する構成とされる。
【００１５】
（５）上記ギャップ制御手段は、上記回転主軸が停止状態から起動して所定の回転数に達するまでは、上記磁気伝達トルクが所定の起動用トルク値となるように、また上記回転主軸の回転数が上記所定の回転数に達したら、上記磁気伝達トルクが所定の加工用トルク値になるように、上記移動手段を制御する構成とされる。
【００１６】
（６）上記移動手段は、上記駆動側および従動側マグネットリング部材のいずれか一方に連結された送りねじ機構と、この送りねじ機構を回転駆動する回転駆動源とを備えてなり、上記送りねじ機構のナット部材が上記駆動側および従動側マグネットリング部材のいずれか一方に連結固定されるとともに、このナット部材を螺進退動作させるねじ部材が上記回転主軸の軸線に平行に配される。
【００１７】
（７）上記駆動側および従動側マグネットリング部材は、リング部材本体の対向面に、環状の永久磁石が設けられて、前記環状マグネット面が形成される。
【００１８】
（８）上記駆動側および従動側マグネットリング部材は、リング部材本体の対向面に、円周方向へ等間隔をもって配された永久磁石からなる少なくとも一つの環状磁石列を備えてなり、この環状磁石列により上記環状マグネット面が形成される。
【００１９】
（９）上記リング部材本体の対向面に、配列径の異なる複数の上記環状磁石列が同心状に配される。
【００２０】
また、本願発明のホーニング盤は、ワークの内周面の軸線方向へ往復移動可能とされるとともに、軸線まわりに回転可能に軸支されてなる回転主軸と、回転主軸を軸線回りに回転駆動する主軸回転手段と、回転主軸を上記内周面の軸線方向へ往復動作させる主軸往復駆動部４と、回転主軸先端に装着され、上記内周面に沿った砥石面を有するホーニング砥石を拡縮可能に備えるホーニングツールと、このホーニングツールのホーニング砥石に所定の切込み動作を与える砥石切込み手段と、上記回転主軸と上記主軸回転手段の駆動伝達経路に設けられて、上記ホーニングツールの損傷、折損等を防止保護するホーニングツール保護手段と、上記主軸回転手段、主軸往復手段および砥石切込み手段の動作を相互に連動して自動制御する制御手段とを備えてなり、上記ホーニングツール保護手段は、上述した本願発明の加工ツール保護装置により構成されていることを特徴とする。
【発明の効果】
【００２１】
本発明に係る加工ツール保護装置にあっては、加工ツールが取り付けられた回転主軸とこの回転主軸を回転させる回転駆動源との間に、回転駆動源の回転力を磁気作用により上記回転主軸に伝達する磁気式カップリング手段を備え、この磁気式カップリング手段の上記回転力を伝える磁気伝達トルクが、上記加工ツールにかかる所定のトルク負荷よりも小さく設定されているから、過度なトルク負荷による加工ツールの損傷、折損等を有効に防止保護することができる。
【００２２】
例えば、上記加工ツール保護装置を備えたホーニング盤においては、ワークの不良、加工ツールであるホーニングツールの砥石の目詰まりによる噛みこみ、あるいは制御プログラムミスなどにより、ホーニングツールの砥石がワークに食い付いてしまい、ホーニングツールに過度なトルク負荷がかかるような場合でも、上記磁気式カップリング手段における磁気伝達トルクがホーニングツールの折損トルクよりも小さな所望の値に設定されることで、ホーニングツールが過度なトルク負荷を受けて折損する前に、磁気式カップリング手段の回転伝達力が無効とされる結果、ホーニングツールの損傷、折損が有効に防止される。
【００２３】
また、上記磁気式カップリング手段が、上記回転駆動源に駆動連結された駆動側マグネットリング部材と、上記回転主軸に回転方向へ一体的に駆動連結された従動側マグネットリング部材とを備えた環状マグネットカップリングの形態とされて、上記両マグネットリング部材の環状マグネット面が無接触状態で平行にかつ同心状に対向配置されて、これら両環状マグネット面間に形成される磁気作用ギャップにより上記磁気伝達トルクが設定される構造とされることにより、構造簡単でしかも故障の少ない磁気式カップリング手段を提供することができる。
【００２４】
しかも、このような構造のマグネットカップリングは、既設の工作機械にも少しの改良を加えることで組み込むことも可能であり、汎用性に富み経済的である。
【発明を実施するための最良の形態】
【００２５】
以下、本発明の実施形態を図面に基づいて詳細に説明する。
【００２６】
実施形態１
本発明に係るホーニング盤を図１に示し、このホーニング盤は、具体的には図４に示すように、ワークＷの円筒状の加工穴の内周面Ｗａを加工する立形のもので、先端にホーニングツール１を備える回転主軸２、主軸回転駆動部（主軸回転手段）３、主軸往復駆動部（主軸往復手段）４、砥石切込み部（砥石切込み手段）５および装置制御部（制御手段）６などを主要部として備えるとともに、上記回転主軸２と上記主軸回転駆動部３の駆動伝達経路に、ホーニングツール保護部（ホーニングツール保護手段、加工ツール保護装置）７を備えてなる。
【００２７】
ホーニングツール（いわゆるホーニングヘッド）１は、回転主軸２の先端つまり下端２ａに交換可能に装着されている。
【００２８】
このホーニングツール１の内部には、図４に示すように、径方向へ拡縮可能に配された複数のホーニング砥石１０、１０、…、これらホーニング砥石を拡張動作させるコーンロッド１１およびホーニング砥石１０、１０、…を復帰動作させる復帰ばね（図示省略）等を備える。
【００２９】
各ホーニング砥石１０は、ワークＷの内周面Ｗａに沿った砥石面１０ａを有する。また、コーンロッド１１は、上記ホーニングツール１内において上下方向へ移動可能に設けられており、その先端ウェッジ１１ａが各ホーニング砥石１０の砥石台１０ｂを押圧する砥石拡張部とされるとともに、その上部である基部ロッド１１ｂが、後述する砥石拡張ロッド３５に連結されている。また、図示しないが、ホーニング砥石１０、１０、…は上記復帰ばねにより常時縮閉方向へ弾発的に付勢されている。
【００３０】
そして、上記ホーニング砥石１０、１０、…は、上記コーンロッド１１の下動に伴って拡開動作される一方、コーンロッド１１の上動に伴って上記復帰ばねにより縮閉動作されることとなる。
【００３１】
回転主軸２は、その下端にホーニングツール１を備えるとともに、主軸駆動軸１５、サーボモータ（回転駆動源）１６等を含む上記主軸回転駆動部３と、スライド本体１７、油圧シリンダ１８等を含む上記主軸往復駆動部４とにそれぞれ連係されている。
【００３２】
すなわち、回転主軸２はスライド本体１７に回転可能に軸支されており、このスライド本体１７が、機体２０上の上下方向へ延びる案内ロッドまたはレール２１上に昇降可能に設けられるとともに、機体２０に取り付けられた油圧シリンダ１８のピストンロッド１８ａに連結されている。そして、この油圧シリンダ１８のピストンロッド１８ａが昇降動作することにより、スライド本体１７を介して、回転主軸２つまりはホーニングツール１が昇降動作されることとなる。
【００３３】
また、回転主軸２の上端部２ａは、機体２０のヘッド部２０ａに回転可能に設けられた主軸駆動軸１５にスプライン嵌合されて、この主軸駆動軸１５に対して、上下方向（軸線方向）へ相対的に移動可能でかつ一体回転可能に連結されている。
【００３４】
具体的には、回転主軸２の上端部２ａが、ロータリスプライン装置２２により、機体２０のヘッド部２０ａに軸支されるとともに、上記主軸駆動軸１５に同軸上に接続されている。
【００３５】
そして、このロータリスプライン装置２２の軸支作用により、回転主軸２は、上記機体２０に対して上下方向（軸線方向）へ相対的に移動可能でかつ回転可能とされる一方、上記ロータリスプライン装置２２を介して上記ヘッド部２０ａに回転可能に支持された主軸駆動軸１５に対して上下方向へ相対的に移動可能でかつ回転方向に一体的に係合接続されている。図示の実施形態のロータリスプライン装置２２としては、ロータリボールスプライン（商品名）が用いられている。これにより、主軸駆動軸１５と一体接続された回転主軸２は、上記機体２０に対して、上下方向（軸線方向）へ相対的に移動可能でかつ回転可能とされている。
【００３６】
回転主軸２と一体回転する上記主軸駆動軸１５の上端部には、上記ホーニングツール保護部７が設けられており、このホーニング保護部７を介して、主軸駆動軸１５が上記サーボモータ１６に駆動連結されている。
【００３７】
ホーニングツール保護部７は、ホーニングツール１の損傷、折損等を防止保護するもので、上述のごとく図示の実施形態においては、主軸駆動軸１５に設けられている。
【００３８】
このホーニングツール保護部７は、その具体的構造が図２に示されており、磁気式カップリング装置（磁気式カップリング手段）２５を主要部として構成されている。
【００３９】
磁気式カップリング装置２５は、主軸回転駆動源である主軸往復駆動部４のサーボモータ１６の回転力を磁気作用により上記回転主軸２に伝達するもので、具体的には、回転主軸２と同軸上に配置された環状マグネットカップリングの形態とされている。
【００４０】
図示の実施形態の環状マグネットカップリング（磁気式カップリング装置）２５は、上述したように主軸往復駆動部４の主軸駆動軸１５上に設けられており、サーボモータ１６に駆動連結された駆動側マグネットリング部材３０と、上記回転主軸２に回転方向へ一体的に駆動連結された従動側マグネットリング部材３１とを備えてなる。
【００４１】
これら一対のマグネットリング部材３０、３１は、その環状マグネット面３０ａ、３１ａが無接触状態で平行にかつ同心状に対向配置されて、これら両環状マグネット面３０ａ、３１ａ間に生じる磁気伝達トルクＴMより、駆動側マグネットリング部材３０の回転力が従動側マグネットリング部材３１へ伝達される構成とされている。
【００４２】
具体的には、駆動側および従動側マグネットリング部材３０、３１は、図３に示すように、リング部材本体３２の対向面（図３において上面）に、環状の永久磁石３３が埋設状に一体固定された構造とされ、この環状の永久磁石３３の環状平坦面３３ａが、駆動側および従動側マグネットリング部材３０、３１の環状マグネット面３０ａ、３１ａをそれぞれ形成している。
【００４３】
駆動側マグネットリング部材３０は、図２に示すように、上記主軸駆動軸１５上に軸受３５により回転可能に軸支されるとともに、伝動プーリ３６と同軸状に一体結合され、この伝動プーリ３６が、伝動ベルト３７を介して、上記サーボモータ１６のモータ軸に取り付けられた伝動プーリ３８に連結されている。一方、従動側マグネットリング部材３１は、図２に示すように、上記主軸駆動軸１５上に軸方向へ螺進退調整可能に螺合固定されて、上記回転主軸２に回転方向へ一体的に駆動連結されている。
【００４４】
上記両マグネットリング部材３０、３１の環状マグネット面３０ａ、３１ａは、図示のごとく、所定の磁気作用ギャップＧをもって無接触状態で平行にかつ同心状に対向配置されており、これら両環状マグネット面３０ａ、３１ａ間に形成される磁気作用ギャップＧにより、磁気式カップリング装置２５の回転力を伝える能力つまり上記磁気伝達トルクＴMが設定される。
【００４５】
これに関連して、上記駆動側および従動側マグネットリング部材３０、３１は、上記回転主軸２の軸方向へ相対的に移動可能とされて、これにより、上記環状マグネット面３０ａ、３１ａ間の磁気作用ギャップＧの大きさが変更されて、上記磁気伝達トルクＴMが調整される構成とされている。
【００４６】
図示の実施形態においては、上述したように、従動側マグネットリング部材３１が主軸駆動軸１５上に軸方向へ螺進退調整可能に螺合固定されていることから、従動側マグネットリング部材３１を主軸駆動軸１５に対して軸方向へ螺進させて、上記磁気作用ギャップＧを適宜の大きさに調整することで、上記磁気伝達トルクＴMの大きさが所定値に設定される構成とされている。
【００４７】
具体的には、上記磁気伝達トルクＴMは、ホーニングツール１にかかる所定のトルク負荷以下に設定され、この所定のトルク負荷は、少なくともホーニングツール１が折損する折損トルクよりも小さい値、望ましくはホーニングツール１の許容トルクよりも小さい値に設定される。図示の実施形態においては、上記所定のトルク負荷がホーニングツール１の許容トルクよりも小さい値に設定されている。
【００４８】
そして、上記サーボモータ１６の回転駆動により、伝動プーリ３８、伝動ベルト３７および伝動プーリ３６を介して、駆動側マグネットリング部材３０が回転されると、その回転力は、上記磁気伝達トルクＴMの作用（磁気作用）により従動側マグネットリング部材３１に伝達されて、これと一体となった主軸駆動軸１５が回転され、これにより、回転主軸２つまりはホーニングツール１が回転駆動されることとなる。
【００４９】
一方、ホーニングツール１にかかるトルク負荷が上記許容トルク以上になって、上記磁気伝達トルクＴMを上回ることになると、上記駆動側マグネットリング部材３０と従動側マグネットリング部材３１との間に相対的な回転つまり磁気作用におけるスリップが生じて、駆動側マグネットリング部材３０の回転力は従動側マグネットリング部材３１に伝達されずに遮断されることとなる。
【００５０】
なお、上記ホーニングツール１の回転動作を駆動制御するサーボモータ１６の回転数は、内蔵されたロータリエンコーダ等の位置検出器３９により検出される。
【００５１】
砥石切込み部５は、上記ホーニング砥石１０、１０、…に切込み動作を与えるもので、上記ホーニングツール１のコーンロッド１１（図４）、このコーンロッド１１を上下動させる切込み駆動部４０および駆動源であるサーボモータ４１等を備える。
【００５２】
切込み駆動部４０は従来周知の構造で、機体２０のヘッド部２０ａに設けられた回転伝達機構４２を介して、上記サーボモータ４１のモータ軸に連結されている。
【００５３】
そして、このサーボモータ４１の正方向への回転駆動により、上記切込み駆動部４０が駆動されて、上記ホーニングツール１内のコーンロッド１１が下方へ移動し、ホーニング砥石１０、１０、…が拡張動作される。一方、サーボモータ４１の逆方向への回転駆動により、上記コーンロッド１１が上方へ移動し、ホーニング砥石１０、１０、…がホーニングツール１内の復帰ばねにより縮閉動作（復帰動作）される。
【００５４】
なお、ホーニング砥石１０、１０、…の拡縮量を駆動制御するサーボモータ４１の回転量は、内蔵されたロータリエンコーダ等の位置検出器４３により検出される。
【００５５】
装置制御部６は、ホーニング盤の各駆動部の動作を相互に連動して自動制御するもので、具体的には、ＣＰＵ、ＲＯＭ、ＲＡＭおよびＩ／Ｏポートなどからなるマイクロコンピュータで構成されている。
【００５６】
この装置制御部６には、ホーニング加工を実行させるための加工プログラム等が組み込まれている。
【００５７】
また、上記装置制御部６には、サーボモータ１６、油圧シリンダ１８の油圧制御弁１８ｂ、サーボモータ４１および位置検出器３９、４３のほか、スライド本体１７に設けられたスケール４５からこのスライド本体１７の位置を検出する位置検出器４６、ならびにその他の駆動部等が電気的に接続されており、これらから得られる実際値情報が、予め設定された各種設定値と比較演算されて、その演算結果に基づき各駆動部３、４および５の動作が駆動制御される。
【００５８】
しかして、以上のように構成されたホーニング盤において、上記各駆動部３、４、５は、装置制御部６により相互に関連して自動制御され、これにより、ホーニングツール１が、ワーク保持治具５０に支持されたワークＷの穴内周面に対して、定量または定寸加工、つまりホーニング領域全体（つまり図４におけるストローク幅Ｓ）にわたって所定の切込み量をもった均一なホーニング加工が行われる。
【００５９】
ところで、ワークＷの不良（例えば、ワークＷの穴内径面の径寸法が規格よりも小さい等、前加工精度が規格外であるなど）、ホーニング砥石１０、１０、…の目詰まりによる噛みこみ、あるいは制御プログラムミスなどにより、ホーニングツール１のホーニング砥石１０、１０、…がワークＷに食い付いてしまい、ホーニングツール１に過度なトルク負荷が生じることがある。
【００６０】
このような場合に、ホーニングツール１にかかるトルク負荷がホーニングツール保護部７における磁気式カップリング装置２５の磁気伝達トルクＴMを上回ることになると、上述したように、上記駆動側マグネットリング部材３０と従動側マグネットリング部材３１との間に相対的な回転が生じて、駆動側マグネットリング部材３０の回転力は従動側マグネットリング部材３１に伝達されずに遮断されて無効とされる。その結果、ホーニングツール１の損傷、折損が未然に有効かつ確実に防止保護される。
【００６１】
以上のように、図示の実施形態のホーニング盤におけるホーニングツール保護部７にあっては、ホーニングツール１が取り付けられた回転主軸２とこの回転主軸２を回転させる主軸回転駆動部３のサーボモータ１６との間に、サーボモータ１６の回転力を磁気作用により上記回転主軸２に伝達するホーニングツール１を備え、この磁気式カップリング装置２５の上記回転力を伝える磁気伝達トルクＴMが、上記ホーニングツール１にかかる所定のトルク負荷よりも小さく設定されているから、過度なトルク負荷によるホーニングツール１の損傷、折損等を有効に防止保護することができる。
【００６２】
また、上記磁気式カップリング装置２５が、回転駆動源である上記サーボモータ１６に駆動連結された駆動側マグネットリング部材３０と、上記回転主軸２に回転方向へ一体的に駆動連結された従動側マグネットリング部材３１とを備えた環状マグネットカップリングの形態とされて、上記両マグネットリング部材３０、３１の環状マグネット面３０ａ、３１ａが無接触状態で平行にかつ同心状に対向配置されて、これら両環状マグネット面３０ａ、３１ａ間に形成される磁気作用ギャップＧにより上記磁気伝達トルクＴMが設定される構造とされることにより、構造簡単でしかも故障の少ない磁気式カップリング装置２５を提供することができる。
【００６３】
しかも、このような構造の磁気式カップリング装置２５は、既設の工作機械にも少しの改良を加えることで組み込むことも可能であり、汎用性に富み経済的である。
【００６４】
実施形態２
本実施形態は図５および図６に示されており、実施形態１におけるマグネットカップリング（磁気式カップリング装置）２５の具体的構成が改変されたものである。
【００６５】
図示の実施形態の環状マグネットカップリング２５において、上下一対のマグネットリング部材１３０、１３１は、図５に示すように、リング部材本体１３２の対向面（図５において上面）に、複数の永久磁石１３３、１３３、…が円周方向へ等間隔をもって埋設状に一体固定されて、少なくとも一つの環状磁石列を形成しており、図示のものにおいては配列径の異なる複数の環状磁石列、具体的には２つの環状磁石列１３４、１３５が同心状に配されている。
【００６６】
そして、これら環状磁石列１３４、１３５の環状平坦面１３４ａ、１３５ａが、駆動側および従動側マグネットリング部材１３０、１３１の環状マグネット面１３０ａ、１３１ａをそれぞれ形成している。
【００６７】
なお、上記二つの環状磁石列１３４、１３５における永久磁石１３３、１３３、…および１３３、１３３、…の配置構成は、図６（ａ）に示すように同一の位相角をもって配置され、あるいは図６（ｂ）に示すように若干ずれた位相角をもって配置される。
【００６８】
しかして、以上のように構成されたマグネットカップリング２５においては、その磁気伝達トルクＴMをホーニングツール１にかかるトルク負荷が上回ることになった場合の、駆動側マグネットリング部材３０と従動側マグネットリング部材３１との間に生じる相対的な回転つまり磁気作用におけるスリップが、実施形態１のような環状の永久磁石３３により環状マグネット面３０ａ、３１ａが形成される場合に比較して、細分化されて円滑なものとなり、その結果、ホーニングツール１に対するトルク負荷も軽減（短時間化）されて、よりホーニングツール１の有効保護につながる。
【００６９】
なお、このようなスリップ効果は、環状マグネット面１３０ａ、１３１ａにおける永久磁石の分割数つまり分割形成された永久磁石１３３、１３３、…の数が多いほど、ホーニングツール１に対するトルク負荷が軽減（短時間化）されるが、製作コストさらには装置コストは逆に高くなることから、要求されるトルク負荷の軽減化効果等の目的に応じて適宜決定される。
その他の構成および作用は実施形態１と同様である。
【００７０】
実施形態３
本実施形態は図７に示されており、実施形態１におけるホーニングツール保護部７の構成が改変されたものである。
【００７１】
すなわち、実施形態１のホーニングツール保護部７においては、駆動側マグネットリング３０と従動側マグネットリング部材３１の環状マグネット面３０ａ、３１ａ間の磁気作用ギャップＧが手作業でかつ固定的に調整可能な構成とされているが、本実施形態のホーニングツール保護部７においては、上記磁気作用ギャップＧが自動でかつ可変的に調整可能な構成とされている。
【００７２】
具体的には、ホーニングツール保護部７は、磁気式カップリング装置（磁気式カップリング手段）２２５を主要部として構成され、この磁気式カップリング装置２２５は、実施形態１と同様、主軸往復駆動部４の主軸駆動軸１５上に設けられた環状マグネットカップリングの形態とされている。
【００７３】
この環状マグネットカップリング２２５は、サーボモータ１６に駆動連結された駆動側マグネットリング部材２３０と、上記回転主軸２に回転方向へ一体的に駆動連結された従動側マグネットリング部材２３１とを備えるとともに、これら両マグネットリング部材２３０、２３１における環状マグネット面２３０ａ、２３１ａ間の磁気作用ギャップＧの大きさを自動調整するギャップ調整部（ギャップ調整手段）２５０を備えてなる。
【００７４】
このギャップ調整部２５０は、上記両マグネットリング部材２３０、２３１を回転主軸２に軸方向へ相対的に移動させる構成とされ、具体的には、上記駆動側および従動側マグネットリング部材２３０、２３１のいずれか一方を回転主軸２の軸方向へ移動させる構成とされる。
【００７５】
本実施形態のギャップ調整部２５０は、従動側マグネットリング部材２３１を回転主軸２の軸方向へ移動させるリング部材移動部（移動手段）２５１と、このリング部材移動部２５１を制御するギャップ制御部（ギャップ制御手段）２５２とを主要部として構成されている。
【００７６】
この目的のため、上記両マグネットリング部材２３０、２３１は、その環状マグネット面２３０ａ、２３１ａが無接触状態で平行にかつ同心状に対向配置されて、これら両環状マグネット面２３０ａ、２３１ａ間に生じる磁気伝達トルクＴMより、駆動側マグネットリング部材２３０の回転力が従動側マグネットリング部材２３１へ伝達される構成とされるとともに、従動側マグネットリング部材２３１が、上記回転主軸２の軸方向へ摺動移動可能な構成とされている。
【００７７】
具体的には、駆動側マグネットリング部材２３０は、実施形態１と主軸駆動軸１５上に軸受３５により回転可能に軸支されるとともに、伝動プーリ３６と同軸状に一体結合され、この伝動プーリ３６が、伝動ベルト３７を介して、上記サーボモータ１６のモータ軸に取り付けられた伝動プーリ３８に連結されている。
【００７８】
一方、従動側マグネットリング部材２３１は、上記主軸駆動軸１５上にキー嵌合２５５により支持されて、主軸駆動軸１５に対して軸方向へ摺動可能に、かつ主軸駆動軸１５と一体回転する構成とされている。また、この従動側マグネットリング部材２３１は上記リング部材移動部２５１に連結されている。
【００７９】
なお、駆動側および従動側マグネットリング部材２３０、２３１の環状マグネット面３０ａ、３１ａの具体的構成は、実施形態１の環状マグネット面３０ａ、３１ａ（図３参照）または実施形態２の環状マグネット面１３０ａ、１３１ａ（図５および図６参照）と同様とされ、図示の場合は実施形態２と同様の構成とされている。
【００８０】
リング部材移動部２５１は、従動側マグネットリング部材２３１に連結された送りねじ機構２６０と、この送りねじ機構２６０を回転駆動する回転駆動源としての駆動モータ２６１とを主要部として備えてなり、これら構成部２６０、２６１は上記機体２０における回転主軸２に隣接した位置に設けられている。
【００８１】
上記送りねじ機構２６０は、具体的にはボールねじの形態とされ、ねじ部材２６０ａが上記機体２０のヘッド部２０ａに起立状に設けられた支持フレーム２６２に、上記回転主軸２の軸線に平行つまり垂直状態で回転可能に軸支されるとともに、その基端部つまり上端部が、カップリング２６３を介して減速機２６４の駆動軸２６４ａに同軸状に接続され、この減速機２６４が上記駆動モータ２６１のモータ軸（図示省略）に駆動連結されている。
【００８２】
また、上記ねじ部材２６０ａには、ナット部材２６０ｂが上下方向へ螺進退可能に螺合支持されるとともに、このナット部材２６０ｂは、連結機構２６６により上記従動側マグネットリング部材２３１に連結されている。
【００８３】
具体的には、上記連結機構２６６は、連結部材２６６ａおよび支持部材２６６ｂを備えてなる。上記連結部材２６６ａは、その一端が上記ナット部材２６０ｂに水平状態で接続固定されるとともに、その他端が上記支持部材２６６ｂに接続固定されている。この支持部材２６６ｂは、上記従動側マグネットリング部材２３１の外周部に、軸受２６６ｃを介して回転可能にかつ軸方向へ一体的に設けられている。
【００８４】
そして、駆動モータ２６１の回転駆動により、減速機２６４を介して、送りねじ機構２６０のねじ部材２６０ａが所定の速度で正回転または逆回転して、ねじ部材２６０ａ上のナット部材２６０ｂが上昇または下降動作し、これにより、ナット部材２６０ａと連結機構２６６を介して一体接続された従動側マグネットリング部材２３１が、上記主軸駆動軸１５上を上昇または下降して、上記駆動側マグネットリング部材２３０に対して離隔または接近し、その結果、これら両マグネットリング部材２３０、２３１における環状マグネット面２３０ａ、２３１ａ間の磁気作用ギャップＧの大きさが広狭調整されて、これら環状マグネット面３０ａ、３１ａ間に生じる上記磁気伝達トルクＴMが調整されることとなる。
【００８５】
ギャップ制御部２５２は、上記磁気伝達トルクＴMが回転主軸２の回転数に対応して自動調整されるように、上記リング部材移動部２５１を制御するものであり、装置制御部６の一部を構成している（図１における二点鎖線参照）。
【００８６】
このギャップ制御部２５２は、図８に示すように、演算部２５２ａとモータ駆動部２５２ｂとから構成されており、回転主軸２つまりは主軸駆動軸１５の回転数を検出するロータリエンコーダ等の回転検出センサ２７０からの検出信号が上記演算部２５２ａに入力されて、この演算部２５２ａが、この入力された検出値（回転数）を予め設定された設定値（回転数）Ｒと比較演算して、その演算結果に基づき、回転検出センサ２７０で検出された回転主軸２の回転数に対応した制御信号を上記モータ駆動部２５２ｂに出力し、このモータ駆動部３２ｂから駆動モータ２６１に移動パルスが送られる。
【００８７】
図示の実施形態においては、上記ギャップ制御部２５２に予め設定される上記設定値Ｒとして、上記回転主軸２つまりホーニングツール１がワークＷを加工する際の回転数に対応した値が設定されており、これにより、回転主軸２が停止状態から起動して所定の回転数に達するまでは、上記磁気伝達トルクＴMが所定の起動用トルク値となるように、また上記回転主軸２の回転数が上記所定の回転数に達したら、上記磁気伝達トルクＴMが所定の加工用トルク値になるように、上記リング部材移動部２５１を制御する構成とされている。
【００８８】
ここに、上記起動用トルク値に関して、回転主軸２の起動回転時（回転主軸２の回転数が０→加工に必要な最大回転数となるまで）には、停止状態にある回転主軸２の回転動作が上記サーボモータ１６の回転動作に追従するために大きな初期追従トルク（回転主軸２の回転数が加工に必要な最大回転数となっている場合の追従トルクよりも大きい）を必要とすることから、この初期追従トルクが上記起動用トルク値として採用設定されている。
【００８９】
しかして、以上のように構成されたホーニング盤のホーニングツール保護部７においては、上記ギャップ調整部２５０により、回転主軸２が停止状態から起動して所定の回転数（本実施形態においては加工に必要な最大回転数）に達するまでは、上記磁気伝達トルクＴMが所定の起動用トルク値となるように、上記環状マグネット面２３０ａ、２３１ａ間の磁気作用ギャップＧが小さく設定されるとともに、上記回転主軸２の回転数が一旦上記所定の回転数に達したら、上記磁気伝達トルクＴMが所定の加工用トルク値になるように、上記磁気作用ギャップＧが設定され、回転主軸２の回転数に応じた最適な磁気伝達トルクＴMが設定制御される。
【００９０】
以上のように、本実施形態のホーニングツール保護部７にあっては、駆動側および従動側マグネットリング部材２３０、２３１の磁気作用ギャップＧが、回転主軸２の回転数に対応して自動調整される結果、過度なトルク負荷によるホーニングツール１の損傷、折損等を有効に防止保護するという実施形態１と同様な本来的効果に加えて、さらに磁気伝達トルクＴMを回転主軸２の回転数に応じて必要とする追従トルクに対応した最適値に自動調整することができるという付随的効果が相乗的に得られる。
その他の構成および作用は実施形態１と同様である。
【００９１】
なお、上述した実施形態１〜３はあくまでも本発明の好適な実施態様を示すものであって、本発明はこれに限定されることなく、その範囲内で種々の設計変更が可能である。一例として以下のような改変が可能である。
【００９２】
例えば、ホーニング盤の各構成部３、４、５、６等の具体的な構成は、同一機能を有する限り他の構成としてもよい。
【００９３】
一例として、図示の実施形態１〜３においては、回転主軸２を上下往復動作させる主軸往復駆動部４が駆動源として油圧シリンダ１８を用いた構成とされているが、ボールねじ装置と回転駆動源としての駆動モータとの組み合わせ構成いわゆる油圧レスヘッド構成とされてもよい。
【図面の簡単な説明】
【００９４】
【図１】本発明に係る実施形態１であるホーニング盤の概略構成を一部断面で示す正面図である。
【図２】同ホーニング盤のホーニングツール保護部を拡大して一部断面で示す正面図である。
【図３】同ホーニングツール保護部のマグネットリング部材を示す斜視図である。
【図４】同ホーニング盤のホーニング砥石によるワーク内周面の加工状態を拡大して示す正面断面図である。
【図５】本発明に係る実施形態２であるホーニング盤におけるホーニングツール保護部のマグネットリング部材を示す斜視図である。
【図６】同マグネットリング部材の環状マグネット面における永久磁石の配列構成を示す平面図である。
【図７】本発明に係る実施形態３であるホーニング盤のホーニングツール保護部を拡大して一部断面で示す正面図である。
【図８】同ホーニングツール保護部のギャップ制御部の構成を示すブロック図である。
【符号の説明】
【００９５】
Ｗ                    ワーク
Ｗａ                  ワークの加工穴の内周面
Ｇ                    ホーニングツール保護部の磁気作用ギャップ
１                    ホーニングツール
２                    回転主軸
３                    主軸回転駆動部（主軸回転手段）
４                    主軸往復駆動部（主軸往復手段）
５                    砥石切込み部（砥石切込み手段）
６                    装置制御部（制御手段）
７                    ホーニングツール保護部（ホーニングツール保護手段、加工ツール保護装置）
１０                  ホーニング砥石
１０ａ                砥石面
１５                  主軸駆動軸
１６                  サーボモータ（回転駆動源）
１８                  油圧シリンダ
２２                  ロータリスプライン装置
２５                  磁気式カップリング装置（磁気式カップリング手段）
３０                  駆動側マグネットリング部材
３１                  従動側マグネットリング部材
３０ａ、３１ａ        環状マグネット面
３２                  リング部材本体
３３                  永久磁石
４１                  サーボモータ
１３０                駆動側マグネットリング部材
１３０ａ              環状マグネット面
１３１                従動側マグネットリング部材
１３１ａ              環状マグネット面
１３２                リング部材本体
１３３                永久磁石
１３４、１３５        環状磁石列
２２５                磁気式カップリング装置（磁気式カップリング手段）
２３０                駆動側マグネットリング部材
２３０ａ              環状マグネット面
２３１                従動側マグネットリング部材
２３１ａ              環状マグネット面
２５０                ギャップ調整部（ギャップ調整手段）
２５１                リング部材移動部（移動手段）
２５２                ギャップ制御部（ギャップ制御手段）
２６０                送りねじ機構
２６０ａ              ねじ部材
【図１】
2009095913.tif 000003
【図２】
2009095913.tif 000004
【図３】
2009095913.tif 000005
【図４】
2009095913.tif 000006
【図５】
2009095913.tif 000007
【図６】
2009095913.tif 000008
【図７】
2009095913.tif 000009
【図８】
2009095913.tif 000010